(57)【要約】【課題】ガタツキ防止のためのアジャスター調整が楽に行え、玄関の上がり口を昇降する際、踏み板の前端縁を踏んでもずれたり、後部が浮いて転倒するなどの危険性のない玄関台を提供する。【解決手段】踏み板と、この踏み板の前部に垂設されている前面板と、この踏み板の両側に垂設されている側面板とからなる木製の玄関台であって、両側の側面板の前端部下方には、この踏み板より前方に突出した突出部が設けられ、この突出部にガタツキ防止用のアジャスターが設けられ、このアジャスターの中心が踏み板の前端より前方に位置している。【選択図】        図１
2004324130.tif 000002
【特許請求の範囲】
【請求項１】
踏み板と、この踏み板の前部に垂設されている前面板と、この踏み板の両側に垂設されている側面板とからなる木製の玄関台であって、両側の側面板の前端部下方には、この踏み板より前方に突出した突出部が設けられ、この突出部にガタツキ防止用のアジャスターが設けられ、このアジャスターの中心が踏み板の前端より前方に位置していることを特徴とする玄関台。
【請求項２】
踏み板の上方に座面が設けられていることを特徴とする請求項１に記載の玄関台。
【請求項３】
踏み板が高さ調整可能となされていることを特徴とする請求項１に記載の玄関台。
【発明の詳細な説明】
【０００１】
【発明の属する技術分野】
この発明は、玄関の土間に設置する玄関台に関するものである。
【０００２】
【従来の技術】
一般的な家屋の玄関上がり口には段差があるため、高齢者や体の不自由な人でも段差部を楽に昇降できるように踏み台を設置することが知られており、踏み台本体を中空に支持する脚台を有し、ガタツキを解消するためアジャスターを設けた踏み台（特許文献１）や、滑り止め加工を施した高級感のある木製の玄関台（特許文献２）が提案されている。
【０００３】
【特許文献１】
登録実用新案第３０４１０５９号公報（図２）
【特許文献２】
特開２００１−１０７５２７号公報（図１、図３）
【発明が解決しようとする課題】
【０００４】
上記特許文献１の従来技術では、高さ調整用のアジャスターが踏み台本体を支持する脚台の下部に設けられているが、アジャスターを操作する際に、そのままの状態では脚台の下に手を入れるスペースがないため、踏み台を持ち上げてアジャスターを調整し、設置面に置いてガタツキを確認するという作業を繰り返す必要があり、作業が面倒であった。アジャスターを長くして、脚台と床面の距離を大きくとれば手は入るが、ガタツキが大きくなる原因となるし、見栄えもよくない。
【０００５】
また、特許文献２の従来技術では、脚部（接地部）が台板の投影面の内側に設けられているため、高さが高くなると、人が玄関台を踏み台にして上がり口を昇降する際に、台板の前端縁を踏むと玄関台がずれたり、後部が浮き上がって転倒する危険性があった。専用の金具とビスで上がりかまちに固定する玄関台も知られているが、上がりかまちを傷つけることになるため、固定せずに使用されることが多く、問題は解消されていない。
【０００６】
この発明は、上記の問題点を解決するためになされたもので、ガタツキ防止のためのアジャスター調整が楽に行え、玄関の上がり口を昇降する際、踏み板の前端縁を踏んでもずれたり、後部が浮いて転倒するなどの危険性のない玄関台を提供するものである。
【０００７】
【課題を解決するための手段】
この発明の玄関台は、踏み板と、この踏み板の前部に垂設されている前面板と、この踏み板の両側に垂設されている側面板とからなる木製の玄関台であって、両側の側面板の前端部下方には、この踏み板より前方に突出した突出部が設けられ、この突出部にガタツキ防止用のアジャスターが設けられ、このアジャスターの中心が踏み板の前端より前方に位置していることを特徴とする。この玄関台には、踏み板の上方に座面が設けられていてもよい。また、踏み板は高さ調整可能となされていてもよい。
【０００８】
【発明の実施の形態】
この発明を図１〜図４に示す一実施例によって説明する。図１は本発明の一実施例による玄関台の斜視図、図２はアジャスター取付部の詳細図、図３は側面図、図４はアジャスターの調整作業を示す斜視図である。玄関台１は踏み板１１と、この踏み板１１の前部から垂設されている前面板１２と、この踏み板１１の両側部から垂設されている側面板１３、１３とから構成されている。この玄関台１は木製であって、一般的家屋の玄関上がり口に設置しても違和感がない。また、踏み板１１の表面には複数条の浅溝１１１が設けられ、表面全体に滑り止め塗料が塗布されている。
【０００９】
両側の側面板１３、１３の前端部下方には、この踏み板１１より前方に突出した突出部１３１、１３１が設けられ、この突出部１３１の下部には切り欠きスペース１３２が設けられている。上方はカーブを描いて踏み板１１の前端よりやや後方の前面板１２の前面位置まで後退している。突出部１３１の下面には孔（図示せず）が設けられ、その中に金属製の埋込ナット（図示せず）が固定されており、この埋込ナットにガタツキ調整用のアジャスター４が取り付けられている。このアジャスター４は図２で示すように、硬質ゴム製の円形接地板４１とその上方に立設されたボルト４２からなる。図３で示すように、アジャスター４の中心は踏み板１１の前端より距離ａだけ前方に位置している。
【００１０】
両側の側面板１３、１３の後端部の下部にも切り欠きスペース１３３、１３３が設けられ、ここには滑り止め用のゴム脚５が固定されている。このように、切り欠き部にアジャスター４やゴム脚５を設けることで、側面板１３と床面の間の隙間を小さくし、見栄えを良くしている。玄関台１を土間に設置した際、段差部との間に隙間が生じないよう側面板１３の後端面は垂直面とされている。
【００１１】
この玄関台１を踏んで上がり口を昇降する際には、アジャスター４の中心が踏み板１１の前端より前方に位置しているため、踏み板１１の前端縁を踏んだ場合でも玄関台１がずれたり、後部が浮き上がって転倒する危険性はない。
【００１２】
また、図４に示すように、アジャスター４でガタツキを調整する場合は、側面板１３の突出部１３１を掌で包むようにして親指と他の指で接地板４１を摘む。突出部１３１の左右はスペースが空いているので、楽に接地板４１を回すことができる。また、突出部１３１の上方が後退しているため、斜め上から手を伸ばして作業することができるので、調整作業が容易である。なお、この実施例において、後部に固定するゴム脚５の代わりに、前部と同様アジャスター４を設けてもよい。
【００１３】
図５は本発明の第２実施例による木製の玄関台２の斜視図である。踏み板２１の前部から前面板２２が垂設され、後部からも前面板２２と同様の後面板（図示せず）が垂設されている。踏み板２１の両側端部からは側面板２３、２３が垂設されている。前面板２２と後面板に隣接して、一対の座板支持板２４、２４が踏み板２１の上方まで垂直に延設されている。この２枚の座板支持板２４、２４により座板２５が支持されている。
【００１４】
側面板２３の前端部の下方には、踏み板２１及び座板２５よりそれぞれ前方に突出した突出部２３１が設けられ、この突出部２３１の下部には切り欠きスペース２３２が設けられている。上方はカーブを描いて踏み板２１の前端よりやや後方の前面板２２の前面位置まで後退している。突出部２３１の下面には実施例１と同様ガタツキ調整用のアジャスター４が取り付けられている。また、側面板２３の後部も同様の構造で、この玄関台２は前後対称となっている。
【００１５】
図６に示すように、玄関台２に取り付けられたアジャスター４の中心は踏み板２１の前端、後端よりａだけ、そして座板２５の前端、後端よりｂだけはみ出た位置にあるので、この玄関台２を踏んで上がり口を昇降する際や座板２５に腰を降ろす際には、玄関台２がずれたり、後部が浮き上がるなどの危険性はない。また、１８０°回転させて座板２５を玄関台２の左右どちらに位置させても、玄関台２の安定性が確保されている。
【００１６】
また、アジャスター４でガタツキを調整する場合は、図４に示すように、実施例１と同様調整作業が容易である。この構成では、玄関で履物を着脱する際、座板２５に腰を降ろして椅子としても使えるので、高齢者や体の不自由な人にとっては楽である。
【００１７】
図７は本発明の第３実施例による木製の玄関台３の斜視図である。玄関台３は、ベース部Ｂと、このベース部Ｂに高さ調整可能に支持されている踏み台部Ｈとからなる。ベース部Ｂは、側面板３３ｂ、３３ｂとそれを連結する前面板３２ｂと後面板３４ｂで構成されている。踏み台部Ｈは、踏み板３１と、この踏み板３１の前部から垂設されている前面板３２ｈと、この踏み板３１の両側部から垂設されている側面板３３ｈ、３３ｈとから構成されている。
【００１８】
ベース部Ｂの側面板３３ｂの前端部の下方には、踏み板３１より前方に突出した突出部３３１ｂが設けられ、この突出部３３１ｂの下部には切り欠き空間３３２ｂが設けられている。上方はカーブを描いて前面板３２ｂの前面位置まで後退している。突出部３３１ｂの下面には実施例１と同様ガタツキ調整用のアジャスター４が取り付けられている。
【００１９】
側面板３３ｂの後端部の下部にも切り欠き空間３３３ｂが設けられ、ここにも前端部と同様アジャスター４が取り付けられている。玄関台３を土間に設置した際、段差部との間に隙間が生じないよう側面板３３ｂの後端面は垂直面とされている。
【００２０】
踏み台部Ｈの側面板３３ｈの前後にはそれぞれ複数個の金属製埋込ナット６が縦方向に固定されている。ベース部Ｂの側面板３３ｂの前後には、それぞれ１個の貫通孔７が設けられている。踏み台部Ｈの前面板３２ｈと側面板３３ｈ、３３ｈがベース部Ｂの前面板３２ｂと後面板３４ｂと側面板３３ｂ、３３ｂで囲まれる空間内を上下に摺動可能とされており、固定ボルト８を側面板３３ｂに設けられた貫通孔７を通して適宜位置の埋込ナット６に螺入することにより、踏み板３１の高さ調整が可能となされている。
【００２１】
図８に示すように、前部のアジャスター４の中心は踏み板３１の前端よりａだけ前方に位置しているので、この玄関台３を踏んで上がり口を昇降する際には、玄関台３がずれたり、後部が浮き上がるなどの危険性はない。また、前部のアジャスター４でガタツキを調整する場合は、図４に示すように、実施例１と同様調整作業が容易である。この構成では、踏み板３１の高さが調整可能となされているので、様々な上がり口の段差の大きさに対応できる。
【００２２】
なお、本発明の実施例において、アジャスター４には緩み止めのロックナットを設けてもよい。またこの玄関台は、必要に応じてコーナー部などを補強することが望ましい。
【００２３】
【発明の効果】
この発明の玄関台は、両側の側面板の前端部下方に踏み板より前方に突出した突出部が設けられ、この突出部にガタツキ防止用のアジャスターが設けられているので、アジャスター調整作業がきわめて容易となる。また、アジャスターの中心が踏み板の前端より前方に位置しているので、踏み台を踏んで上がり口を昇降する際に、踏み板の前端縁を踏んだ場合でも踏み台がずれたり、後部が浮き上がって転倒する危険性はない。
【図面の簡単な説明】
【図１】本発明による一実施例の玄関台の斜視図
【図２】アジャスター取付部を示す詳細図
【図３】側面図
【図４】アジャスター調整時の斜視図
【図５】本発明による第２実施例の玄関台の斜視図
【図６】本発明による第２実施例の左側面図
【図７】本発明による第３実施例の玄関台の斜視図
【図８】本発明による第３実施例の玄関台の側面図
【符号の説明】
１、２、３        玄関台
１１、２１、３１        踏み板
１２、２２、３２ｈ、３２ｂ        前面板
１３、２３、３３ｈ、３３ｂ        側面板
４        アジャスター
５        ゴム脚
６                埋込ナット
７        貫通孔
８        固定ボルト
Ｈ                踏み台部
Ｂ                ベース部
【図１】
2004324130.tif 000003
【図２】
2004324130.tif 000004
【図３】
2004324130.tif 000005
【図４】
2004324130.tif 000006
【図５】
2004324130.tif 000007
【図６】
2004324130.tif 000008
【図７】
2004324130.tif 000009
【図８】
2004324130.tif 000010